(57)【要約】【課題】安価な回路構成によって加入者側通信装置の異常発光検出及び発光停止機能を実現し、ネットワークの信頼性を向上させる。【解決手段】ＯＮＵ２は、光信号の送信許可期間に合わせて有意側に遷移させた送信許可信号を出力するＰＯＮ制御回路２２と、この送信許可信号が有意側へ遷移中に、データ信号を光信号に変換して出力する光送受信回路２１と、送信許可信号の有意側への遷移をトリガにして所定パルス幅のパルス信号を出力するパルス生成回路２３と、パルス信号と送信許可信号とを入力に用いて、パルス信号の受信終了前に送信許可信号の有意側への遷移が終了した場合に正常発光動作と判定して送信停止信号を解除し続け、他方、パルス信号の受信終了後にも送信許可信号の有意側への遷移が終了しない場合に異常発光状態と判定して送信停止信号をラッチ出力するラッチ回路２４とを備える。【選択図】図１
2011055417.tif 000002
【特許請求の範囲】
【請求項１】
光信号の送信許可期間に合わせて有意側へ遷移する送信許可信号を入力に用いて、前記送信許可信号が有意側へ遷移中に、データ信号を光信号に変換して出力する光送受信回路と、
前記送信許可信号を監視し、当該送信許可信号が異常である場合に前記光送受信回路の出力を停止させる送信停止信号を出力する送信許可信号監視回路とを備える通信装置。
【請求項２】
送信許可信号監視回路は、
送信許可信号の有意側への遷移をトリガにして所定パルス幅のパルス信号を出力するパルス生成回路と、
前記パルス信号と前記送信許可信号とを入力に用いて、当該送信許可信号が異常であることを検出すると、光送受信回路の出力を停止させる送信停止信号を出力するラッチ回路とを有することを特徴とする請求項１記載の通信装置。
【請求項３】
通信装置の電源投入時にパワーオンリセット信号を出力するパワーオンリセット回路を備え、
パルス生成回路は、送信許可信号が電源投入時から有意固定された場合に、前記パワーオンリセット信号の解除をトリガにして所定パルス幅のパルス信号を出力することを特徴とする請求項２記載の通信装置。
【請求項４】
ラッチ回路は、パルス信号の受信終了前に送信許可信号の有意側への遷移が終了した場合に、正常と判定して、送信停止信号を解除し続けることを特徴とする請求項２又は請求項３記載の通信装置。
【請求項５】
ラッチ回路は、パルス信号の受信終了後にも送信許可信号の有意側への遷移が終了しない場合に、異常と判定して、送信停止信号をラッチ出力することを特徴とする請求項２から請求項４のうちのいずれか１項記載の通信装置。
【請求項６】
パルス生成回路は、パルス信号発生中に送信許可信号の有意側への遷移を検出すると、検出した時点から再度、所定パルス幅のパルス信号を出力し、前記送信許可信号の有意側への遷移検出毎にラッチ回路に異常を検出させることを特徴とする請求項２から請求項５のうちのいずれか１項記載の通信装置。
【請求項７】
請求項１から請求項６のうちのいずれか１項記載の通信装置を加入者側通信装置に適用した光通信システム。
【請求項８】
光信号の送信許可期間に合わせて有意側へ遷移する送信許可信号を入力に用いて、前記送信許可信号が有意側へ遷移中に、データ信号を光信号に変換して出力する光送受信回路を備える通信装置の、異常発光を停止させる異常発光停止方法において、
送信許可信号監視回路が、前記送信許可信号を監視し、当該送信許可信号が異常である場合に前記光送受信回路の出力を停止させる送信停止信号を出力する異常発光停止ステップを備えることを特徴とする異常発光停止方法。
【請求項９】
異常発光停止ステップは、
パルス生成回路が、送信許可信号の有意側への遷移をトリガにして所定パルス幅のパルス信号を発生させて、異常発光検出の判定開始トリガとして出力する異常発光検出開始ステップを有することを特徴とする請求項８記載の異常発光停止方法。
【請求項１０】
異常発光停止ステップは、
ラッチ回路が、送信許可信号及び異常発光検出開始ステップで発生させたパルス信号を受信し、前記パルス信号の受信終了前に前記送信許可信号の有意側への遷移が終了した場合に、正常と判定して、光送受信回路の出力を停止させる送信停止信号を解除し続ける正常発光ステップを有することを特徴とする請求項９記載の異常発光停止方法。
【請求項１１】
異常発光停止ステップは、
ラッチ回路が、送信許可信号及び異常発光検出開始ステップで発生させたパルス信号を受信し、前記パルス信号の受信終了後にも前記送信許可信号の有意側への遷移が終了しない場合に、異常と判定する異常判定ステップを有することを特徴とする請求項９又は請求項１０記載の異常発光停止方法。
【請求項１２】
異常発光停止ステップは、異常判定ステップで異常と判定した場合に、ラッチ回路が、光送受信回路の出力を停止させる送信停止信号をラッチ出力することを特徴とする請求項１１記載の異常発光停止方法。
【請求項１３】
異常発光検出開始ステップは、パルス生成回路が、パルス信号発生中に送信許可信号の有意側への遷移を検出すると、検出した時点から再度、所定パルス幅のパルス信号を発生させて、異常発光検出の判定開始トリガとして出力し、前記送信許可信号の有意側への遷移検出毎にラッチ回路に異常を検出させることを特徴とする請求項９から請求項１２のうちのいずれか１項記載の異常発光停止方法。
【請求項１４】
パルス生成回路が発生させるパルス信号のパルス幅を調整するパルス幅調整ステップを備えることを特徴とする請求項９から請求項１３のうちのいずれか１項記載の異常発光停止方法。
【請求項１５】
パワーオンリセット回路が、電源投入時にパワーオンリセット信号を出力するパワーオンリセットステップを備え、
異常発光検出開始ステップは、パルス生成回路が、送信許可信号が電源投入時から有意固定された場合に、前記パワーオンリセット信号の解除をトリガにして所定パルス幅のパルス信号を出力することを特徴とする請求項９から請求項１４のうちのいずれか１項記載の異常発光停止方法。
【請求項１６】
光信号の送信許可期間に合わせて有意側へ遷移する送信許可信号を入力に用いて、前記送信許可信号が有意側へ遷移中に、データ信号を光信号に変換して出力する光送受信回路を備える通信装置の、異常発光を検出する異常発光検出方法において、
パルス生成回路が、前記送信許可信号の有意側への遷移をトリガにして所定パルス幅のパルス信号を発生させて、異常発光検出の判定開始トリガとして出力する異常発光検出開始ステップと、
ラッチ回路が、前記送信許可信号及び前記異常発光検出開始ステップで発生させたパルス信号を受信し、前記パルス信号の受信終了前に前記送信許可信号の有意側への遷移が終了した場合に、正常と判定する正常発光ステップと、
前記ラッチ回路が、前記送信許可信号及び前記異常発光検出開始ステップで発生させたパルス信号を受信し、前記パルス信号の受信終了後にも前記送信許可信号の有意側への遷移が終了しない場合に、異常と判定する異常判定ステップとを備えることを特徴とする異常発光検出方法。
【発明の詳細な説明】
【技術分野】
【０００１】
この発明は、光ファイバを共有する光通信システムを構成する加入者側通信装置、並びに光通信システムの異常発光停止方法及び異常発光検出方法に関するものである。
【背景技術】
【０００２】
ＰＯＮ（Ｐａｓｓｉｖｅ  Ｏｐｔｉｃａｌ  Ｎｅｔｗｏｒｋ）システム等の複数の加入者側通信装置間で光ファイバ等の通信媒体を共有する通信システムにおいて、システムを構成する他の加入者側通信装置と光信号の送信タイミングが重ならないように、従来、光ファイバを時分割シェアしていた。
【０００３】
また、特許文献１に記載の加入者側通信装置は、送信手段を構成する発光素子が発する光を受光するモニタ用受光素子を備え、このモニタ用受光素子の出力信号を監視して、送信手段から送信される光信号を検出する。この加入者側通信装置は、光信号を検出するとタイマを起動させ、その光信号の検出が途絶える前にタイマがタイムアウトすると異常発光と判断し、その光信号の送信停止を指示するアラーム信号を出力して、光信号を強制停止させていた。
このように、加入者側通信装置が異常時に光信号を強制停止させることにより、ＰＯＮシステム全体の通信不能を回避していた。
【０００４】
なお、特許文献１によれば、加入者側通信装置は、モニタ用受光素子の出力信号の監視に代えて、送信手段を構成する発光素子の駆動電圧若しくは駆動電流、発光素子に供給される電源電流、又は、送信手段に供給される電源電流等を監視して、光信号の送信を検出することもできる。また、光信号の送信停止を指示するアラーム信号の出力に代えて、発光素子に供給される駆動信号若しくは電源、送信手段に供給される電源、又は、電源回路の内部主電流を止める等の動作により、光信号を強制停止させることもできる。
【先行技術文献】
【特許文献】
【０００５】
【特許文献１】特開２００４−３２５４１号公報（第１０頁図１、図２）
【発明の概要】
【発明が解決しようとする課題】
【０００６】
従来の加入者側通信装置は以上のように構成されているので、光ファイバに対して送信タイミングの時分割シェアリングを行っているが、加入者側通信装置の故障等により光信号の連続出力等の異常発光が発生した場合には他装置と光信号が重なってしまい、システム全体が通信不能となる課題があった。
【０００７】
また、特許文献１に記載された加入者側通信装置では、モニタ用受光素子及びタイマ等を用いて発光素子の異常発光を検出し、異常発光を停止する方法を実現するために、モニタ用受光素子及びタイマが別途必要となる。そのため、加入者側通信装置自体が高価となる課題があった。
【０００８】
この発明は、上記のような課題を解決するためになされたもので、安価な回路構成によって加入者側通信装置の異常発光検出及び発光停止機能を実現し、ネットワークの信頼性を向上させることを目的とする。
【課題を解決するための手段】
【０００９】
この発明に係る通信装置は、光信号の送信許可期間に合わせて有意側へ遷移する送信許可信号を入力に用いて、送信許可信号が有意側へ遷移中に、データ信号を光信号に変換して出力する光送受信回路と、送信許可信号を監視し、当該送信許可信号が異常である場合に光送受信回路の出力を停止させる送信停止信号を出力する送信許可信号監視回路とを備えるものである。
【００１０】
この発明に係る異常発光停止方法は、送信許可信号監視回路が、送信許可信号を監視し、当該送信許可信号が異常である場合に光送受信回路の出力を停止させる送信停止信号を出力する異常発光停止ステップを備えるものである。
【００１１】
この発明に係る異常発光検出方法は、パルス生成回路が、送信許可信号の有意側への遷移をトリガにして所定パルス幅のパルス信号を発生させて、異常発光検出の判定開始トリガとして出力する異常発光検出開始ステップと、ラッチ回路が、送信許可信号及び異常発光検出開始ステップで発生させたパルス信号を受信し、パルス信号の受信終了前に送信許可信号の有意側への遷移が終了した場合に、正常と判定する正常発光ステップと、ラッチ回路が、送信許可信号及び異常発光検出開始ステップで発生させたパルス信号を受信し、パルス信号の受信終了後にも送信許可信号の有意側への遷移が終了しない場合に、異常と判定する異常判定ステップとを備えるものである。
【００１２】
この発明に係る光通信システムは、上記通信装置を加入者側通信装置に適用したものである。
【発明の効果】
【００１３】
この発明によれば、送信許可信号を監視し、当該送信許可信号が異常である場合に光送受信回路の出力を停止させる送信停止信号を出力するようにしたので、安価な回路構成によって加入者側通信装置の異常発光検出及び発光停止機能を実現し、ネットワークの信頼性を向上させた通信装置及び異常発光停止方法を提供することができる。
【００１４】
この発明によれば、送信許可信号の有意側への遷移をトリガにしてパルス信号を出力し、パルス信号と送信許可信号に基づいて異常発光状態を検出するようにしたので、安価な回路構成によって加入者側通信装置の異常発光検出機能を実現し、ネットワークの信頼性を向上させた異常発光検出方法を提供することができる。
【００１５】
この発明によれば、上記通信装置を加入者側通信装置に適用した光通信システムとしたので、加入者側通信装置が保有する安価な回路構成によって、システム全体での通信不能を回避するための異常発光検出及び発光停止機能を実現でき、ネットワークの信頼性を向上させた光通信システムを提供することができる。
【図面の簡単な説明】
【００１６】
【図１】この発明の実施の形態１に係るネットワークシステムの構成を示すブロック図である。
【図２】図１に示すＯＮＵの内部構成を示すブロック図である。
【図３】実施の形態１において、ＯＮＵ２Ａに異常が発生した場合のネットワークシステムの動作を示す波形図である。
【図４】実施の形態２において、ＯＮＵ２Ａに異常が発生した場合のネットワークシステムの動作を示す波形図である。
【発明を実施するための形態】
【００１７】
実施の形態１．
図１は、この発明の実施の形態１に係るネットワークシステム（光通信システム）の構成を示すブロック図である。図１に示すＰＯＮシステムでは、局側通信装置（以下、ＯＬＴ：Ｏｐｔｉｃａｌ  Ｌｉｎｅ  Ｎｅｔｗｏｒｋ）１から伸びる光ファイバケーブル３がスターカプラ４で分岐され、複数の加入者側通信装置（以下、ＯＮＵ：Ｏｐｔｉｃａｌ  Ｎｅｔｗｏｒｋ  Ｕｎｉｔ）２と接続されている。各ＯＮＵ２は、各ＵＮＩ（Ｕｓｅｒ  Ｎｅｔｗｏｒｋ  Ｉｎｔｅｒｆａｃｅ）に接続される。なお、図１の例では、１つのＯＬＴ１に３つのＯＮＵ２Ａ，２Ｂ，２Ｃが接続されているが、これらＯＮＵ２の内部構成は同一であり、区別する必要がないときは単にＯＮＵ２と称する。
【００１８】
図２は、図１に示すＯＮＵ２の内部構成を示すブロック図である。図２に示すＯＮＵ２は、光信号を送受信する光送受信回路２１と、この光送受信回路２１に対して送信許可信号を出力するＰＯＮ制御回路２２と、異常発光状態と判断する時間分のパルス幅（以下、所定パルス幅）を有するパルス信号を生成するパルス生成回路２３と、送信許可信号とパルス信号を入力に用いて送信停止信号をラッチ出力するラッチ回路２４と、電源投入時にパワーオンリセット信号を出力するパワーオンリセット回路２５とを備える。なお、パワーオンリセット回路２５については、後述の実施の形態２で説明することとし、本実施の形態１では説明を省略する。
【００１９】
次に、ＯＮＵ２の動作を説明する。
先ず、ＯＮＵ２の光送受信回路２１は、ＯＬＴ１からの上り送信帯域割当用の光信号を受信して、光信号から電気信号（データ信号）へ変換する。変換された上り送信帯域割当情報のデータ信号は、ＰＯＮ制御回路２２にて受信される。
【００２０】
続いて、ＯＮＵ２のＰＯＮ制御回路２２は、ＵＮＩ側からのデータ信号を受信すると、ＯＬＴ１から受信した上り送信帯域割当情報に基づく送信開始時刻及び送信終了時刻の間、ＯＮＵ２へ送信するデータ信号と送信許可信号とを光送受信回路２１へ出力する。この送信許可信号は、パルス生成回路２３及びラッチ回路２４にも出力されている。なお、ＰＯＮ制御回路２２は、ＯＬＴ１から受信した上り送信帯域割当情報に基づく送信開始時刻から送信終了時刻までの間、送信許可信号を有意側へ遷移させて出力する。
【００２１】
パルス生成回路２３は、送信許可信号の有意側への遷移をトリガとして所定パルス幅のパルス信号をラッチ回路２４へ出力する（異常発光検出開始ステップ）。このパルス生成回路２３は、パルス信号出力状態で、再度、送信許可信号の有意側への遷移を検出した場合、検出した時点から新たに所定パルス幅のパルス信号を出力し直す。このパルス信号は、ラッチ回路２４における異常発光状態判定の開始トリガとなり、ラッチ回路２４ではパルス信号が入力した時点から異常発光検出が開始される。
なお、パルス生成回路２３及びラッチ回路２４が、送信許可信号監視回路を構成する。
【００２２】
ラッチ回路２４は、送信許可信号とパルス信号を入力として用い、有意側に遷移した送信許可信号の受信時のみ異常状態の検出による送信停止信号のラッチ出力動作を行い、送信許可信号を受信していないときは機能停止状態である。
【００２３】
ラッチ回路２４がパルス信号と送信許可信号を受信して異常発光検出を開始し、かつ、パルス信号の受信終了前に送信許可信号の有意側の遷移が終了した場合、ラッチ回路２４は機能停止状態となるため、送信停止信号のラッチ出力動作を行わず（正常と判定）、光送受信回路２１に対して送信停止信号を解除し続ける（正常発光ステップ）。正常と判定された場合、光送受信回路２１は受信したデータ信号を電気信号から光信号に変換して、光ファイバケーブル３を介してＯＬＴ１に送信する。
【００２４】
ラッチ回路２４がパルス信号と送信許可信号を受信して異常発光検出を開始し、かつ、パルス信号の受信終了前に送信許可信号の有意側の遷移が終了しなかった場合、ラッチ回路２４は異常と判定して（異常判定ステップ）、光送受信回路２１に対して送信停止信号をラッチ出力する（異常発光停止ステップ）。異常と判定された場合、光送受信回路２１は受信した送信停止信号に従って発光停止状態になり、ＰＯＮ制御回路２２から送信許可信号を受信していてもＯＬＴ１に光信号を送信しない。
【００２５】
このように、パルス生成回路２３が、送信許可信号の有意側への遷移を検出する毎に、異常発光検出のための開始トリガとしてのパルス信号を出力し、ラッチ回路２４が、送信許可信号の有意側への遷移毎に必ず異常発光の検出を行う構成である。
なお、パルス生成回路２３により発生させるパルス信号の幅が、ラッチ回路２４により異常と判断するまでの時間になるので、このパルス幅を調整することにより、異常と判断するまでの判定時間を調整することができる。
【００２６】
次に、ＯＮＵ２Ａに異常が発生した場合を例に、ネットワークシステムの動作を説明する。図３は、図１に示すネットワークシステムの各部の信号を示す波形図であり、図３（ａ）はＯＮＵ２Ａ内部の送信許可信号、図３（ｂ）はＯＮＵ２Ａ内部のパルス信号、図３（ｃ）はＯＮＵ２Ａ内部の送信停止信号、図３（ｄ）はＯＮＵ２Ａの光出力、図３（ｅ）はＯＮＵ２Ｂの光出力、図３（ｆ）はＯＮＵ２Ｃの光出力、図３（ｇ）はＯＬＴ１の光入力である。
【００２７】
図３（ａ）において、ＯＮＵ２ＡのＰＯＮ制御回路２２が送信許可信号ａ０，ａ１，ａ２，ａ３をそれぞれ出力するが、このうち、送信許可信号ａ３に異常が発生している。図３（ｂ）において、ＯＮＵ２Ａのパルス生成回路２３は、送信許可信号ａ０〜ａ３がそれぞれ有意側に遷移する度にパルス信号ａ０’〜ａ３’を出力する（異常発光検出開始ステップ）。図３（ｃ）において、ＯＮＵ２Ａのラッチ回路２４は、パルス信号ａ０’〜ａ２’の受信終了前に送信許可信号ａ０〜ａ２の受信が終了するので、正常と判定して、送信停止信号を解除し続ける（正常発光ステップ）。そのため、図３（ｄ）において、ＯＮＵ２Ａの光送受信回路２１は、送信許可信号に従って光信号Ａ０〜Ａ２を送信する。
他方、図３（ｃ）において、パルス信号ａ３’の受信終了前に異常出力状態の送信許可信号ａ３の受信が終了しないので、異常と判定して（異常判定ステップ）、ラッチ回路２４がパルス信号ａ３’受信終了時点から送信停止信号をラッチ出力する（異常発光停止ステップ）。そのため、図３（ｄ）において、ＯＮＵ２Ａの光送受信回路２１は、送信許可信号ａ３に従って光信号Ａ３を出力し始めるが、途中で送信停止信号に従って発光停止状態となり、光出力を停止する。
【００２８】
正常時であれば、ＯＮＵ２Ａの光信号Ａ３とＯＮＵ２Ｂの光信号Ｂ２は衝突しないが、ＯＮＵ２Ａの異常発光状態中に光信号Ａ３と光信号Ｂ２が衝突してしまい、図３（ｇ）に示すように、ＯＬＴ１は光信号Ｂ２を受信できない。しかし、ＯＮＵ２Ａの光信号Ａ３の発光停止状態移行後はＯＮＵ２Ａがネットワークシステムから隔離されるため、ＯＮＵ２Ｂ及びＯＮＵ２Ｃについては通信を継続することができる。
【００２９】
以上より、実施の形態１によれば、ＯＮＵ２を、光信号の送信許可期間に合わせて有意側に遷移させた送信許可信号を出力するＰＯＮ制御回路２２と、この送信許可信号が有意側へ遷移中に、データ信号を光信号に変換して出力する光送受信回路２１と、送信許可信号の有意側への遷移をトリガにして所定パルス幅のパルス信号を出力するパルス生成回路２３と、パルス信号と送信許可信号とを入力に用いて、パルス信号の受信終了前に送信許可信号の有意側への遷移が終了した場合に正常と判定して送信停止信号を解除し続け、他方、パルス信号の受信終了後にも送信許可信号の有意側への遷移が終了しない場合に異常と判定して送信停止信号をラッチ出力するラッチ回路２４とを備えるように構成した。このため、ＯＮＵ２内のパルス生成回路２３及びラッチ回路２４からなる安価な回路構成によって、ネットワークシステム全体での通信不能を回避するための異常発光検出及び発光停止機能を実現でき、ネットワークの信頼性を向上させることができる。
【００３０】
また、実施の形態１によれば、パルス生成回路２３が、パルス信号発生中に送信許可信号の有意側への遷移を検出すると、検出した時点から再度、所定パルス幅のパルス信号を出力し、送信許可信号の有意側への遷移検出毎にラッチ回路２４に異常を検出させるように構成した。このため、各送信許可信号の有意側への遷移の検出毎に、必ず、異常発光状態の判定を行うことができる。
【００３１】
また、実施の形態１によれば、パルス生成回路２３が発生させるパルス信号のパルス幅を調整可能に構成した。このため、異常発光状態と判断するまでの判定時間を調整することができる。
【００３２】
実施の形態２．
本実施の形態２に係るＯＮＵ２は、電源投入時にパワーオンリセット信号を出力して、内部回路の初期化及び初期化解除を制御するパワーオンリセット回路２５を備える。なお、本実施の形態２のＯＮＵ２は、図２に示すＯＮＵ２と図面上では同様の構成であるため、以下では図２を援用して説明する。
【００３３】
パルス生成回路２３は、電源投入時に送信許可信号が有意固定されている場合、パワーオンリセット回路２５が出力するパワーオンリセット信号のリセット解除をトリガとして、所定パルス幅のパルス信号を発生する。このため、ＰＯＮ制御回路２２の故障により電源投入時から送信許可信号が有意固定となった場合にも、パルス生成回路２３がパルス信号をラッチ回路２４へ出力し、ラッチ回路２４は、パルス信号の受信終了後も送信許可信号の受信が終了しないため、異常と判定して送信停止信号をラッチ出力することとなる。よって、光送受信回路２１の異常発光は、途中で停止される。
【００３４】
次に、ＯＮＵ２Ａに異常が発生した場合を例に、ネットワークシステムの動作を説明する。図４は、図１に示すネットワークシステムの各部の信号を示す波形図であり、図４（ａ）はＯＮＵ２Ａ内部の送信許可信号、図４（ｂ）はＯＮＵ２Ａ内部のパルス信号、図４（ｃ）はＯＮＵ２Ａ内部の送信停止信号、図４（ｄ）はＯＮＵ２Ａ内部のパワーオンリセット信号、図４（ｅ）はＯＮＵ２Ａの光出力、図４（ｆ）はＯＮＵ２Ｂの光出力、図４（ｇ）はＯＮＵ２Ｃの光出力、図４（ｈ）はＯＬＴ１の光入力である。
【００３５】
図４（ａ）において、ＯＮＵ２ＡのＰＯＮ制御回路２２が、電源投入時から有意固定された異常な送信許可信号ａ０を出力する。また、電源投入時からパワーオンリセット回路２５がパワーオンリセット信号を出力する（パワーオンリセットステップ）。図４（ｄ）において、ＯＮＵ２Ａのパワーオンリセット回路２５のパワーオンリセット信号がリセット解除状態に遷移すると、このリセット解除をトリガとして、図４（ｂ）に示すようにパルス生成回路２３がパルス信号ａ０’を出力する（異常発光検出開始ステップ）。図４（ｃ）において、ＯＮＵ２Ａのラッチ回路２４は、パルス信号ａ０’の受信終了前に異常出力状態の送信許可信号ａ０の受信が終了しないので、異常と判定して（異常判定ステップ）、パルス信号ａ０’受信終了時点から送信停止信号をラッチ出力する（異常発光停止ステップ）。そのため、図４（ｅ）において、ＯＮＵ２Ａの光送受信回路２１は、送信許可信号ａ０に従って光信号Ａ０を出力し始めるが、途中で送信停止信号に従って発光停止状態となり、光出力を停止する。
【００３６】
ＯＮＵ２Ａの異常発光状態中に光信号Ａ０と、ＯＮＵ２Ｂの光信号Ｂ０が衝突してしまい、図４（ｈ）に示すように、ＯＬＴ１は光信号Ｂ０を受信できない。しかし、ＯＮＵ２Ａの光信号Ａ０の発光停止状態移行後はＯＮＵ２Ａがネットワークシステムから隔離されるため、ＯＮＵ２Ｂ及びＯＮＵ２Ｃについては通信を継続することができる。
【００３７】
以上より、実施の形態２によれば、ＯＮＵ２の電源投入時にパワーオンリセット信号を出力するパワーオンリセット回路２５を備え、パルス生成回路２３は、送信許可信号が電源投入時から有意固定された場合に、パワーオンリセット信号の解除をトリガにして所定パルス幅のパルス信号を出力するように構成した。このため、ＯＮＵ２の電源投入時から送信許可信号が有意固定となった場合にも、ＯＮＵ２内のパルス生成回路２３及びラッチ回路２４によって異常発光検出及び発光停止機能の実現が可能である。
【００３８】
なお、上記実施の形態１，２のＯＮＵ２は、異常発光検出に続き、異常発光を停止させる機能を備えるように構成したが、異常発光を検出する機能のみを備える構成であってもよい。
また、ラッチ回路２４が送信停止信号を光送受信回路２１へラッチ出力する構成としたが、光送受信回路２１に出力する構成に限定されるものではなく、例えば、ＰＯＮ制御回路２２へ異常発光を検出したことを通知して、ＰＯＮ制御回路２２が光送受信回路２１を制御して発光を停止させる構成であってもよい。
【符号の説明】
【００３９】
１  ＯＬＴ、２，２Ａ〜２Ｃ  ＯＮＵ、３  光ファイバケーブル、４  スターカプラ、２１  光送受信回路、２２  ＰＯＮ制御回路、２３  パルス生成回路、２４  ラッチ回路、２５  パワーオンリセット回路。
【図１】
2011055417.tif 000003
【図２】
2011055417.tif 000004
【図３】
2011055417.tif 000005
【図４】
2011055417.tif 000006